(57)【要約】【課題】より効率良く品物を収納するのに便利で、より効率良く品物を分類して収納できる収納装置を提供しようとする。【解決手段】従来の床の上に設置され品物を収納する収納装置に換えて、開口のある袋状の収納袋本体を有する収納袋と、床に設置可能な基礎面を持ち左右方向に貫通した貫通孔を設けられた基礎部材と該基礎部材に支持され該基礎面から所定の高さに前記開口の周縁部を係止可能な把手係止部材とを有する基礎構造と、一端に雌ねじを持ち他端に雄ねじを持つ長手部材である横棒とを備え、複数の前記基礎構造が前記基礎面を下に向けて左右方向に所定の間隔で並び、前記横棒の前記雄ねじが前記基礎構造の前記貫通孔を貫通して他の前記横棒の前記雌ねじにねじ込まれ、前記収納袋が前記基礎構造の間に配置され前記把手を前記把手係止部材に係止されているものとした。【選択図】　　図２
2004115052.tif 000002
【特許請求の範囲】
【請求項１】
開口のある袋状の収納袋本体を有する収納袋を床の上に支持可能な収納袋用支持具であって、
床に設置可能な基礎面を持ち少なくとも３箇所に左右方向に貫通した貫通孔を設けられた基礎部材と該基礎部材に支持され該基礎面から所定の高さに前記開口の周縁部を係止可能な周縁部係止部材とを有する基礎構造と、
所定の長さを持ち一端に雌ねじを持ち他端に雄ねじを持つ長手部材である横棒と、
を備え、
複数の前記基礎構造が前記基礎面を下に向けて左右方向に所定の間隔で並び、
複数の前記横棒が長手方向を左右に向けて前記基礎構造の間に配置され、
前記横棒の前記雄ねじが前記基礎構造の前記貫通孔を貫通して他の前記横棒の前記雌ねじにねじ込まれていることを特徴とする収納袋用支持具。
【請求項２】
前記基礎部材が、長手方向を前後に向け下部に前記基礎面を持つ長手部材である下部基礎部材と該下部基礎部材に下部を固定されて立ち上がり上方で折れ曲がって長手方向を前後に向けた長手部材である上部基礎部材とを有し、
少なくとも一つの前記貫通孔が前記下部基礎部材に設けられ、
少なくとも一つの前記貫通孔が前記上部基礎部材に設けられる、
ことを特徴とする請求項１に記載の収納袋用支持具。
【請求項３】
複数の前記基礎構造が上下方向に多段に重なっていることを特徴とする請求項１または請求項２のうちのひとつに記載の収納袋用支持具。
【請求項４】
開口のある袋状の収納袋本体を有する収納袋を床の上に支持可能な収納袋用支持具であって、
床に設置可能な基礎面を持ち少なくとも３箇所に左右方向に貫通した貫通孔を設けられた基礎部材と該基礎部材に支持され該基礎面から所定の高さに前記開口の周縁部を係止可能な周縁部係止部材とを有する基礎構造と、
所定の長さを持つ長手部材である横棒と、
を備え、
複数の前記基礎構造が前記基礎面を下に向けて左右方向に所定の間隔で並び、さらに上下方向に多段に重なり、
複数の前記横棒が長手方向を左右に向けて前記基礎構造の間に配置され、
前記横棒が両端を左右に隣り合った前記基礎構造の前記貫通孔に固定する、
ことを特徴とする収納袋用支持具。
【請求項５】
所定の高さを持った柱である縦柱本体と該縦柱本体の上部から上に突き出た突起部とを有する縦柱を備え、
前記基礎部材が前記突起部が挿入可能な縦孔を基礎面に垂直に設けられ、
前記縦柱が下段の前記基礎構造に支持され、
前記突起部が上段の前記基礎構造の前記縦孔に挿入されていることを特徴とする請求項３または請求項４のうちのひとつに記載の収納袋用支持具。
【請求項６】
前記収納袋が前記開口の周縁部の対向する部位に設けられた一対の把手をもち、
前記周縁部係止部材が前記把手を係止可能であることを特徴とする請求項１乃至請求項５に記載の収納袋用支持具。
【請求項７】
収納袋の前記把手が開口の周縁を両側に巻き付けられ中央部が露出した棒であり、
周縁部係止部材が、前記棒を載せることができる様に上方に開いた溝を形成する部材であることを特徴とする請求項６に記載の収納袋用支持具。
【請求項８】
床の上に設置され品物を収納する収納装置であって、
開口のある袋状の収納袋本体を有する収納袋と、
床に設置可能な基礎面を持ち少なくとも３箇所に左右方向に貫通した貫通孔を設けられた基礎部材と該基礎部材に支持され該基礎面から所定の高さに前記開口の周縁部を係止可能な周縁部係止部材とを有する基礎構造と、
所定の長さを持ち一端に雌ねじを持ち他端に雄ねじを持つ長手部材である横棒と、
を備え、
複数の前記基礎構造が前記基礎面を下に向けて左右方向に所定の間隔で並び、
複数の前記横棒が長手方向を左右に向けて前記基礎構造の間に配置され、
前記横棒の前記雄ねじが前記基礎構造の前記貫通孔を貫通して他の前記横棒の前記雌ねじにねじ込まれ、
前記収納袋が前記基礎構造の間に配置され前記開口の周縁部を前記周縁部係止部材に係止されていることを特徴とする収納装置。
【請求項９】
前記基礎部材が、長手方向を前後に向け下部に前記基礎面を持った長手部材である下部基礎部材と該下部基礎部材に下部を固定されて立ち上がり上方で折れ曲がって長手方向を前後に向けた長手部材である上部基礎部材とを有し、
少なくとも一つの貫通孔が下部基礎部材に設けられ、
少なくとも一つの貫通孔が上部基礎部材に設けられる、
ことを特徴とする請求項８に記載の収納装置。
【請求項１０】
複数の前記基礎構造が上下方向に多段に重なっていることを特徴とする請求項８または請求項９のうちのひとつに記載の収納装置。
【請求項１１】
床の上に設置され品物を収納する収納装置であって、
開口のある袋状の収納袋本体を有する収納袋と、
床に設置可能な基礎面を持ち少なくとも３箇所に左右方向に貫通した貫通孔を設けられた基礎部材と該基礎部材に支持され該基礎面から所定の高さに前記開口の周縁部を係止可能な周縁部係止部材とを有する基礎構造と、
所定の長さを持つ長手部材である横棒と、
を備え、
複数の前記基礎構造が前記基礎面を下に向けて左右方向に所定の間隔で並び、さらに上下方向に多段に重なり、
複数の前記横棒が長手方向を左右に向けて前記基礎構造の間に配置され、
前記横棒が両端を左右に隣り合った前記基礎構造の前記貫通孔に固定し、
前記収納袋が前記基礎構造の間に配置され前記開口の周縁部を前記周縁部係止部材に係止されていることを特徴とする収納装置。
【請求項１２】
所定の高さを持った柱である縦柱本体と該縦柱本体の上部から上に突き出た突起部とを有する縦柱を備え、
前記基礎部材が前記突起部が挿入可能な縦孔を基礎面に垂直に設けられ、
前記縦柱が下段の前記基礎構造に支持され、
前記突起部が上段の前記基礎構造の前記縦孔に挿入されていることを特徴とする請求項１０または請求項１１のうちのひとつに記載の収納装置。
【請求項１３】
前記収納袋が前記開口の周縁部の対向する部位に設けられた一対の把手をもち、
前記周縁部係止部材が前記把手を係止可能であることを特徴とする請求項８乃至請求項１２に記載の収納装置。
【請求項１４】
収納袋の前記把手が開口の周縁を両側に巻き付けられ中央部が露出した棒であり、
周縁部係止部材が、前記棒を載せることができる様に上方に開いた溝を形成する部材であることを特徴とする請求項１３に記載の収納装置。
【発明の詳細な説明】
【０００１】
【発明の属する技術分野】
本発明は、品物を収納袋をもちいて収納する収納装置とその収納袋を支持する収納袋用支持具に関する。
【０００２】
【従来の技術】
家庭や産業界において、品物を収納袋に収納することがある。例えば、クリーニング店では、顧客から預かった衣類を収納袋に収納する。この収納袋は、集品袋、サービスバック等と、呼称される。
特開平９−２４９１では、「洗濯物を収納しておくための収納袋と、この収納袋を立てた状態に保持するとともに、収納袋の袋口を開いた状態に保持するフレームとを備え、前記収納袋を前記フレームに対して取り付け取り外し自在に設けるとともに持ち運び用の把手を設けたことを特徴とする選択物収納袋」が開示されている。
この構成により、「収納袋を清潔な状態としておくことができるとともに、持ち運びしやすく使い勝手のよい洗濯物収納袋を提供しようとする。」
【０００３】
【特許文献１】
特開平９−２４９１号公報
【０００４】
【発明が解決しようとする課題】
クリーニング店では、さらに顧客から預かった衣類をクリーニング処理の種類ごとに分類して収納したいという要請があった。
また、預かる衣類の量に応じて収納装置の収納能力を増減したいという要請があった。
また、預かった衣類を仕上がり予定の日毎に管理したいという要請があった。また、収納装置を受け付けカウンターの下の床に設置し、いっぱいになった収納袋のみを手軽に取り換えることができる様にしたいという要請があった。
【０００５】
本発明は以上に述べた問題点に鑑み案出されたもので、従来の床の上に設置され品物を収納する収納装置にかわって、より効率良く品物を収納するのに便利で、より効率良く品物を分類して収納できる収納装置を提供しようとする。
【０００６】
【課題を解決するための手段】
上記目的を達成するため、本発明に係る開口のある袋状の収納袋本体を有する収納袋を床の上に支持可能な収納袋用支持具は、床に設置可能な基礎面を持ち少なくとも３箇所に左右方向に貫通した貫通孔を設けられた基礎部材と該基礎部材に支持され該基礎面から所定の高さに前記開口の周縁部を係止可能な周縁部係止部材とを有する基礎構造と、所定の長さを持ち一端に雌ねじを持ち他端に雄ねじを持つ長手部材である横棒と、を備え、複数の前記基礎構造が前記基礎面を下に向けて左右方向に所定の間隔で並び、複数の前記横棒が長手方向を左右に向けて前記基礎構造の間に配置され、前記横棒の前記雄ねじが前記基礎構造の前記貫通孔を貫通して他の前記横棒の前記雌ねじにねじ込まれているものとした。
【０００７】
上記本発明の構成により、基礎構造の基礎部材が床に設置可能な基礎面を持ち少なくとも３箇所に左右方向に貫通した貫通孔を設けられ、基礎構造の周縁部係止部材が該基礎部材に支持され該基礎面から所定の高さに前記開口の周縁部を係止可能であり、横棒が所定の長さを持ち一端に雌ねじを持ち他端に雄ねじを持つ長手部材であり、複数の前記基礎構造が前記基礎面を下に向けて左右方向に所定の間隔で並び、複数の前記横棒が長手方向を左右に向けて前記基礎構造の間に配置され、前記横棒の前記雄ねじが前記基礎構造の前記貫通孔を貫通して他の前記横棒の前記雌ねじにねじ込まれているので、任意の数の前記基礎構造を左右方向に並べて、前記横棒で前記基礎構造を繋ぎ、所望の数の収納袋を左右方向に支持する収納袋用支持具を組み立てることができる。
【０００８】
さらに、本発明に係る収納袋用支持具は、前記基礎部材が、長手方向を前後に向け下部に前記基礎面を持つ長手部材である下部基礎部材と該下部基礎部材に下部を固定されて立ち上がり上方で折れ曲がって長手方向を前後に向けた長手部材である上部基礎部材とを有し、少なくとも一つの前記貫通孔が前記下部基礎部材に設けられ、少なくとも一つの前記貫通孔が前記上部基礎部材に設けられるのが好ましい。
上記本発明の構成により、前記基礎部材の下部基礎部材が、長手方向を前後に向け下部に前記基礎面を持つ長手部材であり、前記基礎部材の上部基礎部材が、該下部基礎部材に下部を固定されて立ち上がり上方で折れ曲がって長手方向を前後に向けた長手部材であり、少なくとも一つの前記貫通孔が前記下部基礎部材に設けられ、少なくとも一つの前記貫通孔が前記上部基礎部材に設けられるので、簡単な形状の基礎部材と簡単な形状の横棒で収納袋用支持具を組み立てることができる。
【０００９】
さらに、本発明に係る収納袋用支持具は、複数の前記基礎構造が上下方向に多段に重なっているのが好ましい。
上記本発明の構成により、複数の前記基礎構造が上下方向に多段に重なっているので、任意の数の前記基礎構造を左右方向と上下方向とに並べて、前記横棒で前記基礎構造を繋ぎ、所望の数の収納袋を左右方向と上下方向とに支持する収納袋用支持具を組み立てることができる。
【００１０】
また、本発明に係る開口のある袋状の収納袋本体を有する収納袋を床の上に支持可能な収納袋用支持具は、床に設置可能な基礎面を持ち少なくとも３箇所に左右方向に貫通した貫通孔を設けられた基礎部材と該基礎部材に支持され該基礎面から所定の高さに前記開口の周縁部を係止可能な周縁部係止部材とを有する基礎構造と、所定の長さを持つ長手部材である横棒と、を備え、複数の前記基礎構造が前記基礎面を下に向けて左右方向に所定の間隔で並び、さらに上下方向に多段に重なり、複数の前記横棒が長手方向を左右に向けて前記基礎構造の間に配置され、前記横棒が両端を左右に隣り合った前記基礎構造の前記貫通孔に固定するものとした。
【００１１】
上記本発明の構成により、基礎構造の基礎部材が床に設置可能な基礎面を持ち少なくとも３箇所に左右方向に貫通した貫通孔を設けられ、基礎構造の周縁部係止部材が該基礎部材に支持され該基礎面から所定の高さに前記開口の周縁部を係止可能であり、横棒が所定の長さを持つ長手部材であり、複数の前記基礎構造が前記基礎面を下に向けて左右方向に所定の間隔で並び、さらに上下方向に多段に重なり、複数の前記横棒が長手方向を左右に向けて前記基礎構造の間に配置され、前記横棒が両端を左右に隣り合った前記基礎構造の前記貫通孔に固定するので、任意の数の前記基礎構造を上下方向に並べて、前記横棒で前記基礎構造を繋ぎ、所望の数の収納袋を上下方向に支持する収納袋用支持具を組み立てることができる。
【００１２】
さらに、本発明に係る収納袋用支持具は、所定の高さを持った柱である縦柱本体と該縦柱本体の上部から上に突き出た突起部とを有する縦柱を備え、前記基礎部材が前記突起部が挿入可能な縦孔を基礎面に垂直に設けられ、前記縦柱が下段の前記基礎構造に支持され、前記突起部が上段の前記基礎構造の前記縦孔に挿入されているのが好ましい。
上記本発明の構成により、縦柱の縦柱本体が所定の高さを持った柱であり、縦柱の突起部が該縦柱本体の上部から上に突き出ており、前記基礎部材が前記突起部が挿入可能な縦孔を基礎面に垂直に設けられ、前記縦柱が下段の前記基礎構造に支持され、前記突起部が上段の前記基礎構造の前記縦孔に挿入されているので、簡単な形状の基礎部材と簡単な形状の縦柱と簡単な形状の横棒で収納袋用支持具を組み立てることができる。
【００１３】
さらに、本発明に係る収納袋用支持具は、前記収納袋が前記開口の周縁部の対向する部位に設けられた一対の把手をもち、
前記周縁部係止部材が前記把手を係止可能であるのが好ましい。
上記本発明の構成により、一対の把手が収納袋の前記開口の周縁部の対向する部位に設けられ、前記周縁部係止部材が前記把手を係止可能であるので、収納袋の取り付けと取り外しが簡単にできる。
【００１４】
さらに、本発明に係る収納袋用支持具は、収納袋の前記把手が開口の周縁を両側に巻き付けられ中央部が露出した棒であり、周縁部係止部材が、前記棒を載せることができる様に上方に開いた溝を形成する部材であるのが好ましい。
上記本発明の構成により、収納袋の前記把手が開口の周縁を両側に巻き付けられ中央部が露出した棒であり、周縁部係止部材が、前記棒を載せることができる様に上方に開いた溝を形成するので、収納袋の取り付けと取り外しがより簡単にできる。
【００１５】
また上記目的を達成するため、本発明に係る床の上に設置され品物を収納する収納装置は、開口のある袋状の収納袋本体を有する収納袋と、床に設置可能な基礎面を持ち少なくとも３箇所に左右方向に貫通した貫通孔を設けられた基礎部材と該基礎部材に支持され該基礎面から所定の高さに前記開口の周縁部を係止可能な周縁部係止部材とを有する基礎構造と、所定の長さを持ち一端に雌ねじを持ち他端に雄ねじを持つ長手部材である横棒と、を備え、複数の前記基礎構造が前記基礎面を下に向けて左右方向に所定の間隔で並び、複数の前記横棒が長手方向を左右に向けて前記基礎構造の間に配置され、前記横棒の前記雄ねじが前記基礎構造の前記貫通孔を貫通して他の前記横棒の前記雌ねじにねじ込まれ、前記収納袋が前記基礎構造の間に配置され前記開口の周縁部を前記周縁部係止部材に係止されているものとした。
【００１６】
上記本発明の構成により、収納袋が開口のある袋状の収納袋本体を有し、基礎構造の基礎部材が床に設置可能な基礎面を持ち少なくとも３箇所に左右方向に貫通した貫通孔を設けられ、基礎構造の周縁部係止部材が該基礎部材に支持され該基礎面から所定の高さに前記開口の周縁部を係止可能であり、横棒が所定の長さを持ち一端に雌ねじを持ち他端に雄ねじを持つ長手部材であり、複数の前記基礎構造が前記基礎面を下に向けて左右方向に所定の間隔で並び、複数の前記横棒が長手方向を左右に向けて前記基礎構造の間に配置され、前記横棒の前記雄ねじが前記基礎構造の前記貫通孔を貫通して他の前記横棒の前記雌ねじにねじ込まれ、前記収納袋が前記基礎構造の間に配置され前記開口の周縁部を前記周縁部係止部材に係止されているので、任意の数の前記基礎構造を左右方向に並べて、前記横棒で前記基礎構造を繋ぎ、所望の数の収納袋を左右方向に支持した収納装置を組み立てることができる。
【００１７】
さらに、本発明に係る収納装置は、前記基礎部材が、長手方向を前後に向け下部に前記基礎面を持った長手部材である下部基礎部材と該下部基礎部材に下部を固定されて立ち上がり上方で折れ曲がって長手方向を前後に向けた長手部材である上部基礎部材とを有し、少なくとも一つの貫通孔が下部基礎部材に設けられ、少なくとも一つの貫通孔が上部基礎部材に設けられるのが好ましい。
上記本発明の構成により、前記基礎部材の下部基礎部材が長手方向を前後に向け下部に前記基礎面を持つ長手部材であり、前記基礎部材の上部基礎部材が該下部基礎部材に下部を固定されて立ち上がり上方で折れ曲がって長手方向を前後に向けた長手部材であり、少なくとも一つの貫通孔が下部基礎部材に設けられ、少なくとも一つの貫通孔が上部基礎部材に設けられるので、簡単な形状の基礎部材と簡単な形状の横棒と収納袋とで収納装置を組み立てることができる。
【００１８】
さらに、本発明に係る収納装置は、複数の前記基礎構造が上下方向に多段に重なっているのが好ましい。
上記本発明の構成により、複数の前記基礎構造が上下方向に多段に重なっているので、任意の数の前記基礎構造を左右方向と上下方向とに並べて、前記横棒で前記基礎構造を繋ぎ、所望の数の収納袋を左右方向と上下方向に支持した収納装置を組み立てることができる。
【００１９】
また、本発明に係る床の上に設置され品物を収納する収納装置は、開口のある袋状の収納袋本体を有する収納袋と、床に設置可能な基礎面を持ち少なくとも３箇所に左右方向に貫通した貫通孔を設けられた基礎部材と該基礎部材に支持され該基礎面から所定の高さに前記開口の周縁部を係止可能な周縁部係止部材とを有する基礎構造と、所定の長さを持つ長手部材である横棒と、を備え、複数の前記基礎構造が前記基礎面を下に向けて左右方向に所定の間隔で並び、さらに上下方向に多段に重なり、複数の前記横棒が長手方向を左右に向けて前記基礎構造の間に配置され、前記横棒が両端を左右に隣り合った前記基礎構造の前記貫通孔に固定し、前記収納袋が前記基礎構造の間に配置され前記開口の周縁部を前記周縁部係止部材に係止されているものとした。
【００２０】
上記本発明の構成により、収納袋が開口のある袋状の収納袋本体を有し、基礎構造の基礎部材が床に設置可能な基礎面を持ち少なくとも３箇所に左右方向に貫通した貫通孔を設けられ、基礎構造の周縁部係止部材が該基礎部材に支持され該基礎面から所定の高さに前記開口の周縁部を係止可能であり、横棒が所定の長さを持つ長手部材であり、複数の前記基礎構造が前記基礎面を下に向けて左右方向に所定の間隔で並び、さらに上下方向に多段に重なり、複数の前記横棒が長手方向を左右に向けて前記基礎構造の間に配置され、前記横棒が両端を左右に隣り合った前記基礎構造の前記貫通孔に固定し、前記収納袋が前記基礎構造の間に配置され前記開口の周縁部を前記周縁部係止部材に係止されているので、任意の数の前記基礎構造を上下方向に並べて、前記横棒で前記基礎構造を繋ぎ、所望の数の収納袋を上下方向に支持した収納装置を組み立てることができる。
【００２１】
さらに、本発明に係る収納装置は、所定の高さを持った柱である縦柱本体と該縦柱本体の上部から上に突き出た突起部とを有する縦柱を備え、前記基礎部材が前記突起部が挿入可能な縦孔を基礎面に垂直に設けられ、前記縦柱が下段の前記基礎構造に支持され、前記突起部が上段の前記基礎構造の前記縦孔に挿入されているのが好ましい。
上記本発明の構成により、縦柱の縦柱本体が所定の高さを持った柱であり、縦柱の突起部が該縦柱本体の上部から上に突き出ており、前記基礎部材が前記突起部が挿入可能な縦孔を基礎面に垂直に設けられ、前記縦柱が下段の前記基礎構造に支持され、前記突起部が上段の前記基礎構造の前記縦孔に挿入されているので、簡単な形状の基礎部材と簡単な形状の縦柱と簡単な形状の横棒と収納袋とで収納装置を組み立てることができる。
【００２２】
さらに、本発明に係る収納装置は、前記収納袋が前記開口の周縁部の対向する部位に設けられた一対の把手をもち、前記周縁部係止部材が前記把手を係止可能であるのが好ましい。
上記本発明の構成により、一対の把手が収納袋の前記開口の周縁部の対向する部位に設けられ、前記周縁部係止部材が前記把手を係止可能であるので、収納袋の取り付けと取り外しが簡単にできる。
【００２３】
さらに、本発明に係る収納装置は、収納袋の前記把手が開口の周縁を両側に巻き付けられ中央部が露出した棒であり、周縁部係止部材が、前記棒を載せることができる様に上方に開いた溝を形成する部材であるのが好ましい。
上記本発明の構成により、収納袋の前記把手が開口の周縁を両側に巻き付けられ中央部が露出した棒であり、周縁部係止部材が、前記棒を載せることができる様に上方に開いた溝を形成するので、収納袋の取り付けと取り外しがより簡単にできる。
【００２４】
【発明の実施の形態】
以下、本発明の好ましい実施形態を、図面を参照して説明する。なお、各図において、共通する部分には同一の符号を付し、重複した説明を省略する。
【００２５】
最初に、本発明の第１の実施形態に係る収納装置の構造を説明する。図１は、本発明の第１の実施形態の斜視図その１である。図２は、本発明の第１の実施形態の斜視図その２である。図３は、本発明の第１の実施形態の正面図である。図４は、本発明の第１の実施形態の側面図である。図５は、本発明の第１の実施形態の平面図である。図６は、本発明の第１の実施形態の部分図である。
【００２６】
収納装置１は、収納袋１０と収納袋支持具２とで構成される。
収納袋１０は、品物（例えば、洗濯物）を収納するためのものであって、収納袋本体１１と一対の把手１２とで構成される。
収納袋本体１１は、開口のある袋状のものである。例えば、収納袋本体１１は、広げると一面が開口となった略６面体の形状をした柔軟な布等でできている。
一対の把手１２は、開口の周縁の対向する部位に設けられる。
図１には、収納袋の前記把手が開口の周縁を両側に巻き付けられ中央部が露出した棒が把手１２となった収納袋１０が示されている。
収納袋本体１１に品物が収納された状態では、人は一対の把手を握って収納袋１０を持ち運ぶことが出来る。
【００２７】
収納袋支持具２は、収納袋１０を床の上に支持するためのものであり、複数の基礎構造２０と複数の横棒３０と複数の縦柱４０と底板５０とボルト６０、６２とナット６１とで構成される。
ここで、説明の便宜のために、収納装置１の収納袋を取り付けまたは取り外しする側を前方と、反対側を後方と呼び、床に収納装置１に設置した場合の天井側を上方と、床側を下方と呼び、向かって左手側を左側、右手側を右側と呼ぶ。収納装置１を構成する各部品の説明においても、組み立てられた場合の姿勢を前提として、前方、後方、上方、下方、左側、右側と呼ぶこととする。
【００２８】
基礎構造２０は、収納袋支持具２の主要な構成部品の一つであり、基礎部材２１と周縁部係止部材２２とで構成される。
基礎部材２１は、床に設置可能な基礎面Ｇを持ち少なくとも３箇所に左右方向に貫通した左右貫通孔〔貫通孔に相当する）２３を設けられた部材である。
基礎部材２１は、長手方向を前後に向け下部に基礎面Ｇを持つ長手部材である下部基礎部材２１ａと下部基礎部材２１ａに下部を固定されて立ち上がり上方で折れ曲がって長手方向を前後に向けた長手部材である上部基礎部材２１ｂ、２１ｃとを有し、少なくとも一つの左右貫通孔２３が下部基礎部材２１ａに設けられ、少なくとも一つの左右貫通孔２３が上部基礎部材２１ｂ、２１ｃの立ち上がり部に設けられるのが好ましい。他の一つの左右貫通孔２３は、下部基礎部材２１ａまたは上部基礎部材２１ｂ、２１ｃの立ち上がり部の一方に設けられる。
さらに、基礎部材には基礎面Ｇに垂直に少なくとも下に開口のある縦孔２４が設けられている。
【００２９】
周縁部係止部材２２は、基礎部材に支持され該基礎面から所定の高さＨに把手を係止可能な部材である。
例えば収納袋１０の把手が開口の周縁を両側に巻き付けられ中央部が露出した棒である場合、周縁部係止部材は前記棒を載せることができる様に上方に開いた溝を形成する部材であるのが好ましい。
【００３０】
図２には、長手部材が四辺形の断面を持った角型鋼管であり、３本の真っすぐな角型鋼管を直角に接合した基礎部材２１とその基礎部材２１に支持された周縁部係止部材２２とで構成される基礎構造２０が示されている。
以下に、その具体的形状を詳述する。基礎部材２１は、長手方向を前後に向けた下部基礎部材２１ａと長手方向を上下に向けた上部基礎部材の立ち上がり部２１ｂと長手方向を前後に向けた上部基礎部材の水平部２１ｃとで出来ている。下部基礎部材２１ａの後端部と立ち上がり部２１ｂの下端部とが溶接され、立ち上がり部２１ｂの上端部と水平部２１ｃの後端部とが溶接されている。立ち上がり部２１ｂの角型鋼管が切断された下端の開放端を露出させ、その角型鋼管の内部が基礎面Ｇに垂直な縦孔２４を形成している。周縁部係止部材２２は、平板を折り曲げて作られ、上方に開放した溝型断面を持った長手部材である。周縁部係止部材２２は、長手方向を上部基礎部材の水平部２１ｃの長手方向に一致して、上部基礎部材の水平部２１ｃの上面に溶接される。周縁部係止部材２２には、同時に２つの把手を載せることができる。
【００３１】
２つの左右貫通孔（貫通孔に相当する）２３が、下部基礎部材２１ａに左右方向に貫通して設けられる。１つの左右貫通孔２３が、上部基礎部材の立ち上がり部２１ｂまたは水平部２１ｃに左右方向に貫通して設けられる。さらに、２つの前後貫通孔２５が上部基礎部材の立ち上がり部２１ｂに前後方向に貫通して設けられる。
角型鋼管に設けられた左右貫通孔２３の孔径は、鋼管の断面の一方の側（例えば左側）の孔の寸法が大きく、他方の側（例えば右側）の孔の寸法が小さい。一方の側（例えば左側）の孔の寸法は、後述する横棒３０の横棒本体部３１が貫入可能な寸法である。他方の側（例えば右側）の孔の寸法は、後述する横棒３０の雄ねじ部３３が貫入可能であるが、横棒本体部３１が貫入不可能な寸法である。
【００３２】
横棒３０は、左右に並んだ基礎構造２０を繋げるためのものであり、所定の長さを持ち一端に雌ねじを持ち他端に雄ねじを持つ長手部材である。
説明の便宜のために、横棒の本体部を横棒本体部３１と、雌ねじを持った部分を雌ねじ部３２と、雄ねじを持った部分を雄ねじ部３３と、呼ぶこととする。
雄ねじ部３３の外径の寸法は、横棒本体３３の外径の寸法より小さい。
複数の横棒３０同士の寸法は等しい。
最低３本の横棒３０が、左右一対の基礎構造２０を繋ぐのに必要である。例えば、２本の横棒３０が下部基礎部材２１ａに設けられた２つの左右貫通孔２３に挿入され、１本の横棒３０が上部基礎部材の立ち上がり部２１ｂまたは水平部２１ｃに左右方向に貫通して設けられた左右貫通孔２３に挿入される。もちろん、３本以上の横棒３０が、左右一対の基礎構造２０を繋いでもよい。図２には、左右に並んだ一対の基礎構造２０を繋ぐ３本一組の横棒３０が示されている。
【００３３】
縦柱４０は、上下に多段に積み上げられた基礎構造を繋ぐためのものであり、縦柱本体部４１と突起部４２とで構成される。
縦柱本体部４１は、所定の高さを持った柱である。所定の高さは、基礎構造の所定の高さＨよりも高い。
突起部４２は、縦柱本体４１の上端部から上に突き出た部分である。突起部４２は、基礎構造２の縦孔２４に挿入可能になっている。
図１には、所定の高さの角型鋼管でできた縦柱本体４１と縦柱本体４１の上端部に溶接された突起部４２とで構成された縦柱４０が示されている。突起部４２は、縦柱本体４１の角型鋼管よりも寸法の一段小さな角型鋼管でできた
通常、縦柱本体４１の角型鋼管と基礎部材２１の角型鋼管とは同寸法の規格の角型引き抜き鋼管であり、突起部の角型鋼管は、同一規格内でその角型引き抜き鋼管より一段呼び寸法の小さな角型引き抜き鋼管である。
２つの前後貫通孔４３が縦柱本体４１に設けられる。２つの前後貫通孔３４の位置は、基礎部材２１の立ち上げ部２１ｂの下端と縦柱本体４１の下端を一致させた場合に、基礎部材２１の立ち上げ部２１ｂに前後方向に貫通して設けられた前後貫通孔２５の位置に重なる。
【００３４】
底板５０は、収納袋の底床であり、折り曲げられた板材でできている。
底板５０の前部が下部基礎部材２１ａを繋ぐ前の横棒３０を囲うように下方に折り曲げられる。底板５０の後部が下部基礎部材２１ａを繋ぐ後ろの横棒３０を囲うように下方に折り曲げられる。特に、前部または後部の先端が更に折り曲げられていると、床板５０がはづれにくくなり、好ましい。
【００３５】
次に、収納袋支持装置と収納装置の構造を、組立手順に従って、説明する。
左右に３つの収納袋を上下２段に収納できる収納袋支持装置と収納装置とを例に説明する。
図３乃至図５は、収納装置１を示し、説明の便宜上から一部の収納袋を省略している。
最初に、下段用の収納袋支持装置を組み立てる。
４つの基礎構造２０を間隔を空けて左右に並べる。
３本の横棒３０を一組として、基礎構造２０の間に配置する。
横棒３０の横棒本体部３１が、左右貫通孔２３の一方の側（例えば、左側）の孔を貫通し、左右貫通孔２３の他方の側（例えば、右側）に当たる。横棒３０の雄ねじ部３３が、左右貫通孔の他方の側（例えば、右側）を貫通し、隣に並んだ横棒３０の雌ねじ部３２にねじ込まれる。
ボルト６０が、最も左側の基礎部材２１に設けられた左右貫通孔２３の一方の側（例えば、左側）から貫通し、隣に並んだ横棒３０の雌ねじ部３２にねじ込まれる。
最も右側の基礎部材２１に設けられた左右貫通孔２３に左側から貫通した横棒３０の雄ねじ部３３は、左右貫通孔２３の他方の側（例えば、右側）を貫通してナット６１にねじ込まれる。ナット６１は、袋ナットであるのが好ましい。
底板５０を下部基礎部材２１ａを繋ぐ２本の横棒３０に被せる。
左右に３つの収納袋を収納できる収納袋支持装置が完成する。
【００３６】
縦柱４０を、基礎構造２０の後ろに立てる。ボルト６２とナット６１で基礎部材の立ち上げ部２１ｂと縦柱本体部４１とを結合する。
【００３７】
次に上段用の収納袋支持装置２を、下段用の収納袋支持装置２と同様の手順で組み立てる。
下段用の収納袋支持装置２を持ち上げて、収納袋支持装置２の基礎構造２０に設けられた縦孔２４に縦柱４０の突起部４２を挿入する。
左右に３つの収納袋を上下２段に収納できる収納袋支持装置が完成する。
【００３８】
６個の収納袋をそれぞれ、一対の基礎構造２０の間にいれ、把手１２を周縁部係止部材２２の溝に落とし込む。
左右に３つの収納袋を上下２段に収納した収納装置が完成する。
【００３９】
次に、本発明の第２の実施形態に係る収納装置の構造を説明する。図７は、本発明の第２の実施形態の斜視図である。
収納袋１０の構造は第１の実施形態で説明した収納袋の構造とおなじなので、説明を省略する。
収納袋支持具２は、収納袋１０を床の上に支持するためのものであり、複数の基礎構造２０と複数の横棒３０と複数の縦柱４０と底板５０とボルト６０とナット６１とで構成される。
横棒３０と底板５０とボルト６０とナット６１の構成は、第１の実施形態で説明した構造と同じなので説明を省略する。
【００４０】
基礎構造２０は、収納袋支持具２の主要な構成部品の一つであり、基礎部材２１と周縁部係止部材２２とで構成される。
基礎部材２１は、床に設置可能な基礎面Ｇを持ち少なくとも３箇所に左右方向に貫通した左右貫通孔〔貫通孔に相当する）２３を設けられた部材である。
基礎部材２１は、長手方向を前後に向け下部に基礎面Ｇを持つ長手部材である下部基礎部材２１ａと下部基礎部材２１ａに下部を固定されて立ち上がり上方で折れ曲がって長手方向を前後に向けた長手部材である上部基礎部材２１ｂ、２１ｃとを有し、少なくとも一つの左右貫通孔２３が下部基礎部材２１ａに設けられ、少なくとも一つの左右貫通孔２３が上部基礎部材２１ｂ、２１ｃの立ち上がり部に設けられるのが好ましい。他の一つの左右貫通孔２３は、下部基礎部材２１ａまたは上部基礎部材２１ｂ、２１ｃの立ち上がり部の一方に設けられる。
さらに、基礎部材２１には基礎面Ｇに垂直ですくなくとも上に開口のある上部縦孔１４ｕと少なくとも下に開口のある下部縦孔２４ｄとが設けられる。
【００４１】
図７には、上部基礎部材２１ｂの立ち上がり部の上部に設けられた上部縦孔２４ｕと下部に設けられた下部縦孔２４ｄとが示されている。もちろん、上部縦孔２４ｕと下部縦孔２４ｄとは連通し一本の縦孔を形成していてもよい。
【００４２】
縦柱４０は、上下に多段に積み上げられた基礎構造を繋ぐためのものであり、縦柱本体部４１と上部突起部４２ｕと下部突起部４２ｄとで構成される。
縦柱本体部４１は、所定の高さを持った柱である。所定の高さは、上下に重ねる基礎構造の隙間の間隔寸法に等しい。
上部突起部４２ｕは、縦柱本体４１の上端部から上に突き出た部分である。上部突起部４２ｕは、基礎構造２の下部縦孔２４ｄに挿入可能になっている。
下部突起部４２ｄは、縦柱本体４１の下端部から下に突き出た部分である。下部突起部４２ｄは、基礎構造２の上部縦孔２４ｕに挿入可能になっている。
図７には、所定の高さの角型鋼管でできた縦柱本体４１と縦柱本体４１の上端部に溶接された上部突起部４２ｕと下端部に溶接された下部突起部４２ｄとで構成された縦柱４０が示されている。上部突起部４２ｕと下部突起部４２ｄとは、縦柱本体４１の角型鋼管よりも寸法の一段小さな角型鋼管でできた
通常、縦柱本体４１の角型鋼管と基礎部材２１の角型鋼管とは同寸法の規格の角型引き抜き鋼管であり、上部突起部４２ｕと下部突起部４２ｄの角型鋼管は、同一規格内でその角型引き抜き鋼管より一段呼び寸法の小さな角型引き抜き鋼管である。
【００４３】
上述の実施形態の収納袋用支持具と収納装置を用いれば、すくない種類の部品で、希望の数の収納袋を支持した収納袋用支持具と収納装置とを簡単に組み立てることができる。
また、横棒で基礎構造を左右に繋ぐ構造としたので、必要に応じて収納袋の収納できるスペースを簡単に増減できる。
また、上に開いた溝を把持係止部材としたので、収納袋の取り外し、取り付けが容易である。
また、横棒を基礎構造の下方と後方に設けたので、横棒が邪魔にならず、収納袋の取り外し、取り付けが容易である。
また、縦柱で上下に重ねた同一形状の基礎構造を繋ぐ構造にしたので、部品の種類を少なくすることができる。
【００４４】
本発明は以上に述べた実施形態に限られるものではなく、発明の要旨を逸脱しない範囲で各種の変更が可能である。
左右に３列、上下に２段の収納袋収納スペースのある収納袋支持具と収納装置を説明したがこれに限定されず、例えば、Ｍ列、Ｎ段の収納袋収納スペースのある収納袋支持具と収納装置でもよく、１列、Ｎ段の収納袋収納スペースのある収納袋支持具と収納装置でもよく、Ｍ列、１段の収納袋収納スペースのある収納袋支持具と収納装置でもよい。
また、底板５０を説明したがこれに限定されず、床板がなくてもよく、また床板のかわりに３本以上の横棒を下部構造部材に繋いでも良い。また、布地等の柔軟材料を前後２本の横棒に巻いてもよい。
また、収納袋は、その開口の周縁部に棒でできた把手を有するものとして説明したがこれに限定されず、例えば、開口の周縁部を袋とじした中にロープが通され、そのロープを引っ張ると開口をすぼめることのできる様になったものでもよい。
また、全ての横棒の寸法が等しいとして説明したがこれに限定されず、左右方向に並ぶ基礎構造の隙間距離を変えてもよい。
【００４５】
【発明の効果】
以上説明したように本発明の開口のある袋状の収納袋本体を有する収納袋を床の上に支持可能な収納袋用支持具とその収納袋用支持具に収納袋を取り付けた収納装置は、その構成により、以下の効果を有する。
周縁部係止部材をもった基礎構造を横棒で左右に繋ぐ構成をとったので、任意の数の前記基礎構造を左右方向に並べて、前記横棒で前記基礎構造を繋ぎ、所望の数の収納袋を左右方向に支持する収納袋用支持具を組み立てることができる。また、基礎構造を下部基礎部材とそこから立ち上がる上部基礎部材で構成し、それぞれの部材に結合のための貫通孔を備えたので、簡単な形状の基礎部材と簡単な形状の横棒で収納袋用支持具と収納装置とを組み立てることができる。
また、横棒で繋いだ複数の基礎構造を上下に多段に重ねたので、任意の数の前記基礎構造を左右方向と上下方向とに並べて、前記横棒で前記基礎構造を繋ぎ、所望の数の収納袋を左右方向と上下方向に支持する収納袋用支持具と収納装置とをを組み立てることができる。
また、複数の基礎構造を上下に多段に重ねたので、任意の数の前記基礎構造を上下方向に並べて、前記横棒で前記基礎構造を繋ぎ、所望の数の収納袋を上下方向に支持する収納袋用支持具と収納装置とを組み立てることができる。
また、下段の基礎構造と上段の基礎構造とを上段の基礎構造にさしこまれた縦柱で繋ぐ構造としたので、簡単な形状の基礎部材と簡単な形状の縦柱と簡単な形状の横棒で収納袋用支持具と収納装置とを組み立てることができる。
また、開口の周縁部に対向して一対の把手を有する収納袋を使用し、周縁部係止部材がその把手を係止する様にしたので、収納袋の取り付けと取り外しが簡単にできる。
また、把手が棒でできた収納袋を使用し、その棒を周縁部係止部材に載せる様にしたので、収納袋の取り付けと取り外しがより簡単にできる。
従って、より効率良く品物を収納するのに便利で、より効率良く品物を分類して収納できる収納装置を提供できる。
【００４６】
【図面の簡単な説明】
【図１】本発明の第１の実施形態の斜視図その１である。
【図２】本発明の第１の実施形態の斜視図その２である。
【図３】本発明の第１の実施形態の正面図である。
【図４】本発明の第１の実施形態の側面図である。
【図５】本発明の第１の実施形態の平面図である。
【図６】本発明の第１の実施形態の部分図である。
【図７】本発明の第２の実施形態の斜視図その１である。
【符号の説明】
Ｇ　　基礎面
Ｈ　　所定の高さ
１　　収納装置
２　　収納袋支持装置
１０　　収納袋
１１　　収納袋本体
１２　　把手
２０　　基礎構造
２１　　基礎部材
２１ａ　下部基礎部材
２１ｂ　上部基礎部材の立ち上がり部
２１ｃ　上部基礎部材の水平部
２２　　周縁部係止部材
２３　　左右貫通孔（貫通孔）
２４　　縦孔
２４ｕ　上部縦孔
２４ｄ　下部縦孔
２５　　前後貫通孔
３０　　横棒
３１　　横棒本体部
３２　　雌ねじ部
３３　　雄ねじ部
４０　　縦柱
４１　　縦柱本体部
４２　　突起部
４２ｕ　上部突起部
４２ｄ　下部突起部
５０　　底板
６０　　ボルト
６１　　ナット
６２　　ボルト
【図１】
2004115052.tif 000003
【図２】
2004115052.tif 000004
【図３】
2004115052.tif 000005
【図４】
2004115052.tif 000006
【図５】
2004115052.tif 000007
【図６】
2004115052.tif 000008
【図７】
2004115052.tif 000009